【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
外表面、外表面外周、及び長手方向に測定される外表面長を有する、長手方向に延在する円筒形の壁であって、接続された端と端の接する円筒形部分を備え、少なくとも第１の円筒形部分(58; 58I; 58II)及び第２の円筒形部分(60; 60I; 60II)を含む、壁と、
前記円筒形の壁を貫通し、前記第１の円筒形部分(58; 58I; 58II)及び前記第２の円筒形部分(60; 60I; 60II)の両方において、前記壁外表面に沿って長手方向に延在する第１の線に沿って順次配置された複数の第１のスロット(40; 40I; 40II)と、
前記円筒形の壁を貫通し、前記第１の円筒形部分(58; 58I; 58II)及び前記第２の円筒形部分(60; 60I; 60II)の両方において、前記壁外表面に沿って長手方向に延在する第２の線に沿って順次配置された複数の第２のスロット(42; 42I; 42II)と、を備え、
前記第２の線が、前記第１の線から周方向に１８０度オフセットしており、前記複数の第２のスロット(42; 42I; 42II)のうちの複数のスロットが、前記複数の第１のスロット(40; 40I; 40II)のうちの複数のスロットから長手方向にオフセットしており、前記複数の第２のスロット(42; 42I; 42II)が、第１のタイプ(42a; 42aI; 42aII)の第２のスロット及び第２のタイプ(42b; 42bI; 42bII)の第２のスロットをさらに備え、前記第１のタイプ(42a; 42aI; 42aII)の前記第２のスロットが、前記第２の円筒形部分(60; 60I; 60II)のみに沿った前記第２の線に沿って順次配置され、第２のタイプ(42b; 42bI; 42bII)の第２のスロットが、前記第１の円筒形部分(58; 58I; 58II)のみに沿った前記第２の線に沿って順次配置され、拡張間隙が、端と端の接する円筒部分の少なくともいくつかの間に存在している、カテーテル曲線形状ストラット(44; 44I; 44II; 44III)。
【請求項２】
前記第１のタイプ(42a)の前記第２のスロット(42)が、円周の寸法において、前記外表面外周の１／２よりも長く、それによって、前記第１のタイプ(42a)の前記第２のスロット(42)の少なくともいくつかが、前記第１の複数のスロット(40)における前記スロットの少なくともいくつかと周方向に重なる、請求項１に記載のカテーテル曲線形状ストラット(44)。
【請求項３】
前記第１のスロット(40)が、前記第２のタイプ(42b)の前記第２のスロット(42)と同じ形状を有する、または、
前記第２のタイプ(42b)の前記第２のスロット(42)が、前記複数の第１のスロット(40)における前記スロットと同じ形状及び寸法で形成されている、または、
前記第１のタイプ(42a)の前記第２のスロットが、前記第２のタイプ(42b)の前記第２のスロットの第２のスロット幅よりも短い第２のスロット幅を有する、請求項１に記載のカテーテル曲線形状ストラット(44)。
【請求項４】
前記端と端の接する円筒形部分が、第３の円筒形部分(S3)及び第４の円筒形部分(S4)をさらに含み、前記第３及び第４の円筒形部分(S3, S4)が、拡張間隙(G1)によって隔てられている、請求項１から３のいずれか一項に記載のカテーテル曲線形状ストラット(44)。
【請求項５】
前記第１の円筒形部分(58)が第１のサブカットパターンを備え、前記第２の円筒形部分(60)が第２のサブカットパターンを備え、前記第３の円筒形部分(S3)が第３のサブカットパターンを備え、前記第４の円筒形部分(S4)が第４のサブカットパターンを備え、前記第１、第２、第３、及び第４のサブカットパターンがそれぞれ前記残りのサブカットパターンとは異なる、請求項４に記載のカテーテル曲線形状ストラット(44)。
【請求項６】
請求項１から５のいずれか一項に記載のカテーテル曲線形状ストラット(44)であって、
前記カテーテル曲線形状ストラット(44)は、医療機器の優先的に平面的な非対称の偏向を容易にするように構成されており、
各第１のスロット(40)が、第１のスロット端部間の前記外表面において周方向に測定される第１のスロット長を有し、各第１のスロットが、前記外表面において長手方向に測定される第１のスロット幅を有し、前記第１のスロット長が前記第１のスロット幅よりも長く、
前記カテーテル曲線形状ストラット(44)は、複数の第１のアーチ(64)をさらに備え、各第１のアーチ(64)が、長手方向に隣接する一対の第１のスロット(40)間に存在し、各第１のアーチ(64)が、前記外表面において周方向に測定される第１のアーチ長を有し、各第１のアーチが、前記外表面において長手方向に測定される第１のアーチ幅を有し、前記第１のアーチ長が前記第１のアーチ幅よりも長く、
各第２のスロット(42)が、第２のスロット端部間の前記外表面において周方向に測定される第２のスロット長を有し、各第２のスロット(42)が、前記外表面において長手方向に測定される第２のスロット幅を有し、前記第２のスロット長が前記第２のスロット幅よりも長く、
前記カテーテル曲線形状ストラット(44)は、複数の第２のアーチ(66)を更に備え、各第２のアーチ(66)が、長手方向に隣接する一対の第２のスロット(42)間に存在し、各第２のアーチ(66)が、前記外表面において周方向に測定される第２のアーチ長を有し、各第２のアーチが、前記外表面において長手方向に測定される第２のアーチ幅を有し、前記第２のアーチ長が前記第２のアーチ幅よりも長く、
前記第１のスロット長及び前記第２のスロット長のうちの少なくとも１つが、前記外表面外周の１／２よりも長い、カテーテル曲線形状ストラット(44)。
【請求項７】
前記第１のアーチ(64)を前記第２のアーチ(66)につなぐ複数のブリッジ(82)をさらに備え、
好ましくは、前記複数のブリッジが、第１及び第２の正反対の位置に設けられた蛇行状の骨格を画定する、または、
前記複数の第１のスロット(40)の各スロットが楕円である、または、
前記複数の第１のスロット(40)の各スロットが猫目形状である、または、
前記複数の第１のスロット(40)の各スロットがアーモンド形状である、または、
前記複数の第１のスロット(40)の各スロットが同一であり、好ましくは、前記複数の第１のスロット(40)の各アーチが同一である、または、
前記複数の第２のスロット(42)における前記スロットが、前記複数の第１のスロット(40)における前記スロットと同じ形状及び寸法で形成されている、請求項６に記載のカテーテル曲線形状ストラット(44)。
【請求項８】
前記ストラット(44)が第１の方向に偏向させられたときに第１の形状をとり、第２の反対の方向に偏向させられたときに第２の形状をとるように、前記複数の第１のスロット(40)及び前記複数の第２のスロット(42)が構成され、好ましくは、前記第１の形状が前記第２の形状と同じであり、
前記ストラット(44)が、両方とも単一の仮想面内にある第１と第２の方向に偏向するように構成され、前記ストラット(44)が前記第１及び第２の方向に非対称に偏向するように、前記複数の第１のスロット(40)及び前記複数の第２のスロット(42)が選択される、請求項１から７のいずれか一項に記載のカテーテル曲線形状ストラット。
【請求項９】
少なくとも２つのアライメントタブ(56)を前記ストラット(44)の長手方向の各端部にさらに備え、または、
２つの正反対の位置に設けられたアライメントタブ(56)を前記ストラット(44)の長手方向の端部にさらに備える、請求項１から８のいずれか一項に記載のカテーテル曲線形状ストラット(44)。
【請求項１０】
請求項１から９のいずれか一項に記載の曲線形状ストラット(44)と、
前記曲線形状ストラット(44)を取り囲む外側本体(28)と、
前記曲線形状ストラット(44)によって取り囲まれた挿入部品(48)と、を備え、
前記挿入部品が、正反対の位置に設けられた一対の第１と第２のプルワイヤ管理チャネル(52, 54)を備える、カテーテル曲線形状ストラットアセンブリ。
【請求項１１】
前記挿入部品(48)が、正反対の位置に設けられた一対のプルワイヤ管理チャネル(52, 54)によって挟まれた中心管腔(50)を含む３つの長手方向に延在する管腔を含み、
前記挿入部品(48)が、押出成形ポリマーから形成されており、および／または、
好ましくは、前記外側本体(28)が単一のポリマー層を備える、請求項１０に記載のカテーテル曲線形状ストラットアセンブリ。
【請求項１２】
遠位可撓性部分(20)であって、前記遠位可撓性部分(20)は、
近位端及び遠位端を有する請求項１０または１１に記載のカテーテル曲線形状ストラットアセンブリと、
前記カテーテル曲線形状ストラットアセンブリの前記遠位端に取り付けられた先端電極(116)と、
前記先端電極(116)の近くで前記カテーテル曲線形状ストラットアセンブリに取り付けられた複数のリング電極(24)と、
前記複数のリング電極(24)の近くで前記カテーテル曲線形状ストラットアセンブリに取り付けられたプルリング(30)と、
前記カテーテル曲線形状ストラットアセンブリの前記近位端に取り付けられたカプラ(118)と、
第１及び第２のプルワイヤ(32, 34)であって、各プルワイヤが、前記プルリング(30)に取り付けられた遠位端を有し、前記第１のプルワイヤ(32)が、前記プルリング(30)から前記第１のプルワイヤ管理チャネル(52)を通って近位方向に延在し、前記第２のプルワイヤ(34)が、前記プルリング(30)から前記第２のプルワイヤ管理チャネル(54)を通って近位方向に延在する、第１及び第２のプルワイヤ(32, 34)とを備える、遠位可撓性部分(20)。
【請求項１３】
前記カテーテル曲線形状ストラット(44)の近位端に前記２つのアライメントタブ(56)をさらに備え、
前記カプラが、前記２つのアライメントタブ(56)を受けるように構成されたアライメントタブスロットをさらに備え、
好ましくは、前記カプラ(118)が、タブアライメントリングをさらに備え、前記アライメントタブスロットが、前記タブアライメントリング内に形成され、または、
好ましくは、前記カプラ(118)が、前記挿入部品(48)内の前記第１及び第２のプルワイヤ管理チャネルと位置合わせされた、正反対の位置に設けられた第１と第２のプルワイヤ管腔をさらに備え、前記２つのアライメントタブが互いに正反対の位置に設けられ、各アライメントタブが、前記挿入部品(48)における前記プルワイヤ管理チャネル(52, 54)から周方向に９０度オフセットしている、請求項１２に記載の遠位可撓性部分。
【請求項１４】
カテーテルであって、
近位端及び遠位端を備える細長いカテーテルシャフトであって、近位部分及び請求項１２または１３に記載の遠位可撓性部分(20)をさらに備える前記カテーテルシャフトと、
前記細長いカテーテルシャフトに沿って前記近位端から前記遠位端まで延在する第１及び第２のプルワイヤ(32, 34)であって、前記プルワイヤのそれぞれが近位端及び前記遠位端を有する前記第１及び第２のプルワイヤ(32, 34)と、
前記第１及び第２のプルワイヤの前記近位端に作動可能に結合されたアクチュエータであって、
（ｉ）第１の偏向力を前記遠位可撓性部分に印加し、それによって、前記遠位可撓性部分を第１の面内にある第１の湾曲した構成に成形し、
（ｉｉ）第２の偏向力を前記遠位可撓性部分に印加し、それによって、前記遠位可撓性部分を前記第１の面内にある第２の湾曲した構成に成形するように構成された、アクチュエータと、
前記遠位可撓性部分の一部を含む前記曲線形状ストラットアセンブリと、を含むカテーテル。
【請求項１５】
前記曲線形状ストラット(44)が、ストレート状に戻す力を前記遠位可撓性部分に加えるように構成されており、
好ましくは、前記曲線形状ストラット(44)が、レーザカットされたニチノールチューブ、または、超弾性ニチノールから構成される、請求項１４に記載のカテーテル。
【手続補正２】
【補正対象書類名】明細書
【補正対象項目名】００６７
【補正方法】変更
【補正の内容】
【００６７】
全ての接合に関する言及（たとえば、取り付けられる、結合される、接続される等）は、広義に解釈されるべきであり、要素の接続と要素間の相対的な動きとの間の中間メンバを含む場合がある。このように、接合に関する言及は、２つの要素が直接的に接続され、かつ互いに固定した関係にあることを必ずしも意味するものではない。本明細書で使用される場合、接合の言及は、単一または一体部品として成形された2つの構成要素を含むことができる。添付の特許請求の範囲で定義されている発明の趣旨から逸脱することなく、細部または構造に変更を加えることができる。
以下の項目は、国際出願時の特許請求の範囲に記載の要素である。
［項目１］
外表面、外表面外周、及び長手方向に測定される外表面長を有する、長手方向に延在する円筒形の壁であって、接続された端と端の接する円筒形部分を有し、少なくとも第１の円筒形部分及び第２の円筒形部分を含む、壁と、
前記円筒形の壁を貫通し、前記第１の円筒形部分及び前記第２の円筒形部分の両方において、前記壁外表面に沿って長手方向に延在する第１の線に沿って順次配置された複数の第１のスロットと、
前記円筒形の壁を貫通し、前記第１の円筒形部分及び前記第２の円筒形部分の両方において、前記壁外表面に沿って長手方向に延在する第２の線に沿って順次配置された複数の第２のスロットであって、前記第２の線が、前記第１の線から周方向に１８０度オフセットしており、前記複数の第２のスロットのうちの複数のスロットが、前記複数の第１のスロットのうちの複数のスロットから長手方向にオフセットしており、前記複数の第２のスロットが、第１のタイプの第２のスロット及び第２のタイプの第２のスロットをさらに含み、前記第１のタイプの前記第２のスロットが、前記第１の円筒形部分のみに沿った前記第２の線に沿って順次配置され、前記第２のタイプの前記第２のスロットが、前記第２の円筒形部分のみに沿った前記第２の線に沿って順次配置されている、第２のスロットと
を含む、カテーテル曲線形状ストラット。
［項目２］
前記第２のタイプの前記第２のスロットが、円周の寸法において、前記外表面外周の１／２よりも長く、それによって、前記第２のタイプの前記第２のスロットの少なくともいくつかが、前記第１の複数のスロットにおける前記スロットの少なくともいくつかと周方向に重なる、項目１に記載のカテーテル曲線形状ストラット。
［項目３］
前記第１のスロットが、前記第１のタイプの前記第２のスロットと同じ形状を有する、項目１に記載のカテーテル曲線形状ストラット。
［項目４］
前記端と端の接する円筒形部分が、第３の円筒形部分及び第４の円筒形部分をさらに含み、前記第３及び第４の円筒形部分が、拡張間隙によって隔てられている、項目１に記載のカテーテル曲線形状ストラット。
［項目５］
前記第１の円筒形部分が第１のサブカットパターンを有し、前記第２の円筒形部分が第２のサブカットパターンを有し、前記第３の円筒形部分が第３のサブカットパターンを有し、前記第４の円筒形部分が第４のサブカットパターンを有し、前記第１、第２、第３、及び第４のサブカットパターンがそれぞれ前記残りのサブカットパターンとは異なる、項目４に記載のカテーテル曲線形状ストラット。
［項目６］
医療機器の優先的に平面的な非対称の偏向を容易にするように構成されたカテーテル曲線形状ストラットであって、
外表面、外表面外周、及び長手方向に測定される外表面長を有する、長手方向に延在する円筒形の壁であって、第１の線が前記外表面に沿って長手方向に延在し、第２の線が前記外表面に沿って長手方向に延在し、前記第２の線が前記第１の線から周方向に１８０度オフセットしている、壁と、
前記円筒形の壁を貫通し、前記第１の線に沿って順次存在する複数の第１のスロットであって、各第１のスロットが、第１のスロット端部間の前記外表面において周方向に測定される第１のスロット長を有し、各第１のスロットが、前記外表面において長手方向に測定される第１のスロット幅を有し、前記第１のスロット長が前記第１のスロット幅よりも長い、第１のスロットと、
複数の第１のアーチであって、各第１のアーチが、長手方向に隣接する一対の第１のスロット間に存在し、各第１のアーチが、前記外表面において周方向に測定される第１のアーチ長を有し、各第１のアーチが、前記外表面において長手方向に測定される第１のアーチ幅を有し、前記第１のアーチ長が前記第１のアーチ幅よりも長い、第１のアーチと、
前記円筒形の壁を貫通し、前記第２の線に沿って順次存在する複数の第２のスロットであって、各第２のスロットが、第２のスロット端部間の前記外表面において周方向に測定される第２のスロット長を有し、各第２のスロットが、前記外表面において長手方向に測定される第２のスロット幅を有し、前記第２のスロット長が前記第２のスロット幅よりも長い、第２のスロットと、
複数の第２のアーチであって、各第２のアーチが、長手方向に隣接する一対の第２のスロット間に存在し、各第２のアーチが、前記外表面において周方向に測定される第２のアーチ長を有し、各第２のアーチが、前記外表面において長手方向に測定される第２のアーチ幅を有し、前記第２のアーチ長が前記第２のアーチ幅よりも長い、第２のアーチと
を含み、
前記第１のスロット長及び前記第２のスロット長のうちの少なくとも１つが、前記外表面外周の１／２よりも長い、カテーテル曲線形状ストラット。
［項目７］
前記第１のアーチを前記第２のアーチにつなぐ複数のブリッジをさらに含む、項目６に記載のカテーテル曲線形状ストラット。
［項目８］
前記複数のブリッジが、第１及び第２の正反対の位置に設けられた蛇行状の骨格を画定する、項目７に記載のカテーテル曲線形状ストラット。
［項目９］
前記複数の第１のスロットの各スロットが楕円である、項目６に記載のカテーテル曲線形状ストラット。
［項目１０］
前記複数の第１のスロットの各スロットが猫目形状である、項目６に記載のカテーテル曲線形状ストラット。
［項目１１］
前記複数の第１のスロットの各スロットがアーモンド形状である、項目６に記載のカテーテル曲線形状ストラット。
［項目１２］
前記複数の第１のスロットの各スロットが同一である、項目６に記載のカテーテル曲線形状ストラット。
［項目１３］
前記複数の第１のスロットの各アーチが同一である、項目１２に記載のカテーテル曲線形状ストラット。
［項目１４］
前記複数の第２のスロットが、第１のタイプの複数の第２のスロット及び第２のタイプの複数の第２のスロットを含む、項目６に記載のカテーテル曲線形状ストラット。
［項目１５］
前記第１のタイプの前記複数の第２のスロットが、前記第２の線に沿って順次存在し、前記第２のタイプの前記複数の第２のスロットが、前記第２の線に沿って順次存在し、前記第１のタイプの前記第２のスロットが、前記第２のタイプの前記第２のスロットの第２のスロット幅よりも短い第２のスロット幅を有する、項目１４に記載のカテーテル曲線形状ストラット。
［項目１６］
前記第２のタイプの前記第２のスロットが、前記複数の第１のスロットにおける前記スロットと同じ形状及び寸法で形成されている、項目１４に記載のカテーテル曲線形状ストラット。
［項目１７］
前記複数の第２のスロットにおける前記スロットが、前記複数の第１のスロットにおける前記スロットと同じ形状及び寸法で形成されている、項目６に記載のカテーテル曲線形状ストラット。
［項目１８］
前記ストラットが、第１の方向に偏向させられたときに第１の形状をとり、第２の反対の方向に偏向させられたときに第２の形状をとるように構成されるように、前記複数の第１のスロット及び前記複数の第２のスロットが構成される、項目６に記載のカテーテル曲線形状ストラット。
［項目１９］
前記第１の形状が前記第２の形状と同じである、項目１８に記載のカテーテル曲線形状ストラット。
［項目２０］
前記ストラットが、両方とも単一の仮想面内にある第１と第２の方向に偏向するように構成され、前記複数の第１のスロット及び前記複数の第２のスロットが、前記第１及び第２の方向に前記ストラットが非対称に偏向するように選択される、項目６に記載のカテーテル曲線形状ストラット。
［項目２１］
超弾性ニチノールから構成される、項目６に記載のカテーテル曲線形状ストラット。
［項目２２］
少なくとも２つのアライメントタブを前記ストラットの長手方向の各端部にさらに含む、項目６に記載のカテーテル曲線形状ストラット。
［項目２３］
２つの正反対の位置に設けられたアライメントタブを、前記ストラットの長手方向の端部にさらに備える、項目６に記載のカテーテル曲線形状ストラット。
［項目２４］
外表面、外表面外周、及び長手方向に測定される外表面長を有する、長手方向に延在する円筒形の壁であって、第１の線が前記外表面に沿って長手方向に延在し、第２の線が前記外表面に沿って長手方向に延在し、前記第２の線が前記第１の線から周方向に１８０度オフセットしている、壁、
前記円筒形の壁を貫通し、前記第１の線に沿って順次存在する複数の第１のスロットであって、各第１のスロットが、第１のスロット端部間の前記外表面において周方向に測定される第１のスロット長を有し、各第１のスロットが、前記外表面において長手方向に測定される第１のスロット幅を有し、前記第１のスロット長が前記第１のスロット幅よりも長い、第１のスロット、
複数の第１のアーチであって、各第１のアーチが、長手方向に隣接する一対の第１のスロット間に存在し、各第１のアーチが、前記外表面において周方向に測定される第１のアーチ長を有し、各第１のアーチが、前記外表面において長手方向に測定される第１のアーチ幅を有し、前記第１のアーチ長が前記第１のアーチ幅よりも長い、第１のアーチ、
前記円筒形の壁を貫通し、前記第２の線に沿って順次存在する複数の第２のスロットであって、各第２のスロットが、第２のスロット端部間の前記外表面において周方向に測定される第２のスロット長を有し、各第２のスロットが、前記外表面において長手方向に測定される第２のスロット幅を有し、前記第２のスロット長が前記第２のスロット幅よりも長い、第２のスロット、及び
複数の第２のアーチであって、各第２のアーチが、長手方向に隣接する一対の第２のスロット間に存在し、各第２のアーチが、前記外表面において周方向に測定される第２のアーチ長を有し、各第２のアーチが、前記外表面において長手方向に測定される第２のアーチ幅を有し、前記第２のアーチ長が前記第２のアーチ幅よりも長い、第２のアーチ
を含む曲線形状ストラットであって、
前記第１のスロット長及び前記第２のスロット長のうちの少なくとも１つが、前記外表面外周の１／２よりも長い、曲線形状ストラットと、
前記曲線形状ストラットを取り囲む外側本体と、
前記曲線形状ストラットによって取り囲まれた挿入部品と
を含む、カテーテル曲線形状ストラットアセンブリ。
［項目２５］
前記挿入部品が、正反対の位置に設けられた一対のプルワイヤ管腔によって挟まれた中心管腔を含む３つの長手方向に延在する管腔を有する、項目２４に記載のカテーテル曲線形状ストラットアセンブリ。
［項目２６］
前記挿入部品が押出成形ポリマーから形成されている、項目２４に記載のカテーテル曲線形状ストラットアセンブリ。
［項目２７］
前記外側本体が単一のポリマー層を含む、項目２４に記載のカテーテル曲線形状ストラットアセンブリ。
［項目２８］
切除カテーテルの遠位可撓性部分であって、
カテーテル曲線形状ストラット、
前記カテーテル曲線形状ストラットの上に位置する外側本体、及び
前記カテーテル曲線形状ストラットの内部の挿入部品であって、正反対の位置に設けられた一対の第１と第２のプルワイヤ管理チャネルを有する挿入部品
を含む、近位端及び遠位端を有するカテーテル曲線形状ストラットアセンブリと、
前記カテーテル曲線形状ストラットアセンブリの前記遠位端に取り付けられた先端電極と、
前記先端電極の近くで前記カテーテル曲線形状ストラットアセンブリに取り付けられた複数のリング電極と、
前記複数のリング電極の近くで前記カテーテル曲線形状ストラットアセンブリに取り付けられたプルリングと、
前記カテーテル曲線形状ストラットアセンブリの前記近位端に取り付けられたカプラと、
第１及び第２のプルワイヤであって、各プルワイヤが、前記プルリングに取り付けられた遠位端を有し、前記第１のプルワイヤが、前記プルリングから、前記第１のプルワイヤ管理チャネルを通って近位方向に延在し、前記第２のプルワイヤが、前記プルリングから、前記第２のプルワイヤ管理チャネルを通って近位方向に延在する、第１及び第２のプルワイヤと
を含む、遠位可撓性部分。
［項目２９］
前記カテーテル曲線形状ストラットの近位端に２つのアライメントタブをさらに含み、前記カプラが、前記２つのアライメントタブを受けるように構成されたアライメントタブスロットをさらに有する、項目２８に記載の遠位可撓性部分。
［項目３０］
前記カプラが、タブアライメントリングをさらに備え、前記アライメントタブスロットが、前記タブアライメントリング内に形成される、項目２９に記載の遠位可撓性部分。
［項目３１］
前記カプラが、前記挿入部品内の前記第１及び第２のプルワイヤ管理チャネルと位置合わせされた、正反対の位置に設けられた第１と第２のプルワイヤ管腔をさらに有する、項目２９に記載の遠位可撓性部分。
［項目３２］
前記２つのアライメントタブが互いに正反対の位置に設けられ、各アライメントタブが、前記挿入部品における前記プルワイヤ管理チャネルから周方向に９０度オフセットしている、項目３１に記載の遠位可撓性部分。
［項目３３］
近位端及び遠位端を有する細長いカテーテルシャフトであって、近位セクション及び遠位可撓性セクションをさらに含むカテーテルシャフトと、
前記細長いカテーテルシャフトに沿って前記近位端から前記遠位端まで延在する第１及び第２のプルワイヤであって、前記プルワイヤのそれぞれが近位端及び遠位端を有する、第１及び第２のプルワイヤと、
前記第１及び第２のプルワイヤの前記近位端に作動可能に結合され、
（ｉ）第１の偏向力を前記遠位可撓性セクションに印加し、それによって、前記遠位可撓性セクションを第１の面内にある第１の湾曲した構成に成形し、
（ｉｉ）第２の偏向力を前記遠位可撓性セクションに印加し、それによって、前記遠位可撓性セクションを前記第１の面内にある第２の湾曲した構成に成形するように構成されたアクチュエータと、
前記遠位可撓性セクションの一部を含む曲線形状ストラットアセンブリであって、
外側ジャケットと、
前記外側ジャケットの中に取り付けられている曲線形状ストラットであって、前記曲線形状ストラットが、前記第１の湾曲した構成及び前記第２の湾曲した構成の両方を制御するように構成された切欠部パターンを含み、前記切欠部パターンが、第１の複数の相補的な切欠部及び第２の複数の相補的な切欠部を含み、前記第１の複数の相補的な切欠部が、前記第２の複数の相補的な切欠部から周方向及び長手方向にオフセットしている、曲線形状ストラットと
を備える曲線形状ストラットアセンブリと、
前記遠位可撓性セクションの一部を含むプルリングであって、前記第１及び第２のプルワイヤの前記遠位端が前記プルリングに取り付けられている、プルリングと
を含む、カテーテル。
［項目３４］
前記切欠部パターンが、複数の繰り返しサブカットパターンを含む、項目３３に記載のカテーテル。
［項目３５］
前記第１の複数の相補的な切欠部が、第１のセットの楕円切欠部及び第２のセットの楕円切欠部を含み、前記第１及び第２のセットの楕円切欠部の各楕円切欠部が、前記遠位可撓性セクションの長手方向軸に平行に延在するように配置された短軸を有し、前記第２の複数の相補的な切欠部が、第３のセットの楕円切欠部及び第４のセットの楕円切欠部を含み、前記第３及び第４のセットの楕円切欠部の各楕円切欠部が、前記遠位可撓性セクションの前記長手方向軸に平行に延在するように配置された短軸を有し、前記第１のセットの楕円切欠部の各楕円切欠部が、前記第３のセットの楕円切欠部の相補的な楕円切欠部から１８０度周方向及び長手方向にオフセットしている、項目３３に記載のカテーテル。
［項目３６］
前記第１の複数の相補的な切欠部及び前記第２の複数の相補的な切欠部が、８つのサブカットパターンを含む切欠部の複数の繰り返しパターンを有し、少なくとも２つの隣り合うサブカットパターンが、前記遠位可撓性セクションが湾曲した構成にあるとき、前記遠位可撓性セクションがカテーテル長手方向軸を中心に回されたときに応力除去を実現するように構成された拡張間隙によって隔てられている、項目３３に記載のカテーテル。
［項目３７］
前記曲線形状ストラットアセンブリが、前記曲線形状ストラット内に取り付けられている挿入部品をさらに含み、前記挿入部品が、正反対の位置に設けられた一対の第１と第２のプルワイヤ管理チャネルを備える、項目３３に記載のカテーテル。
［項目３８］
前記曲線形状ストラットが、ストレート状に戻す力を前記遠位可撓性セクションに加えるように構成されている、項目３３に記載のカテーテル。
［項目３９］
前記曲線形状ストラットが、レーザカットされたニチノールチューブから構成される、項目３３に記載のカテーテル。